(57)【要約】【課題】  特別遊技の有利度合によって、再度特別遊技へ移行させる場合の遊技数を変更することが可能な遊技機を提供する。【解決手段】  特別遊技から通常遊技へ移行させる場合に、当該特別遊技の有利度合に基づいて、当該特別遊技終了後、通常遊技から再度特別遊技へ移行させる場合の遊技数を決定する移行条件決定手段321を備えることを特徴とする。【選択図】図３
2016010539.tif 000002
【特許請求の範囲】
【請求項１】
通常遊技と、当該通常遊技より遊技者にとって有利な特別遊技と、を有し、少なくとも所定遊技数の消化により当該通常遊技と特別遊技との間で遊技状態を移行させる遊技機において、
前記特別遊技から前記通常遊技へ移行させる場合に、当該特別遊技の有利度合に基づいて、当該特別遊技終了後、通常遊技から再度特別遊技へ移行させる場合の前記所定遊技数を決定する移行条件決定手段を備えることを特徴とする遊技機。
【請求項２】
前記有利度合は、前記特別遊技中に獲得した遊技媒体数であることを特徴とする請求項１に記載の遊技機。
【請求項３】
前記所定遊技数には、当該所定遊技数の異なる複数のモードが設定されており、
前記移行条件決定手段は、前記移行条件として、前記有利度合が低いほど、前記所定遊技数の高いモードより少ないモードが決定されやすいようにしていることを特徴とする請求項１又は２に記載の遊技機。
【発明の詳細な説明】
【技術分野】
【０００１】
この発明は、特別遊技の有利度合によって、再度特別遊技へ移行させる場合の移行条件を変更することが可能な遊技機に関するものである。
【背景技術】
【０００２】
従来、スロットマシンなどの遊技機では、特別遊技中のメダル獲得枚数が、所定の基準枚数よりも少ない場合に、役に入賞する確率が高い高確率遊技を実行させるようにした遊技機が知られている（特許文献１の段落番号「００５５」参照）。
そして、特許文献１の遊技機は、当該高確率遊技を所定の基準枚数に達するまで行われるように設定されており（特許文献１の段落番号「００４９」参照）、特別遊技中のメダル獲得枚数の平準化を目的としているものであるといえる（特許文献１の段落番号「０００３」）。
【先行技術文献】
【特許文献】
【０００３】
【特許文献１】特開２００１−２３８９９９号公報
【発明の概要】
【発明が解決しようとする課題】
【０００４】
しかし、特許文献１の遊技機は、遊技者の投資と利益とのバランスはとれるものの、どのように遊技しても同じようなメダル獲得枚数となることから、変化に乏しく、面白みに欠けるという問題点があった。
そこで、各請求項にそれぞれ記載された各発明は、上記した従来の技術の有する問題点に鑑みてなされたものであり、その目的とするところは、次の点にある。
【０００５】
（請求項１）
請求項１に記載の発明は、特別遊技終了後は、通常遊技を実行させて遊技者自らの技術により特別遊技への移行を狙う一方、当該通常遊技中に特別遊技への移行ができない場合は、特別遊技の有利度合によって再度特別遊技へ移行させる場合の遊技数を変更することで、遊技の面白みを維持しつつ、遊技者の投資と利益とのバランスをとることができる遊技機を提供することを目的とする。
【０００６】
（請求項２）
請求項２に記載の発明は、上記した請求項１に記載の発明の目的に加え、特別遊技中に獲得した遊技媒体数によって、再度特別遊技へ移行させる場合の移行条件を変更することが可能な遊技機を提供することを目的とする。
【０００７】
（請求項３）
請求項３に記載の発明は、上記した請求項１又は２に記載の発明の目的に加え、特別遊技中に獲得した遊技媒体数が少ない場合には、特別遊技への移行条件を緩和することが可能な遊技機を提供することを目的とする。
【課題を解決するための手段】
【０００８】
本願発明は、上記した目的を達成するためになされたものであり、本願発明の特徴点を図面に示した発明の実施の形態を用いて、以下に説明する。
なお、括弧内の符号は、発明の実施の形態において用いた符号を示し、本願発明の技術的範囲を限定するものではない。
【０００９】
（請求項１）
請求項１記載の発明は、通常遊技と、当該通常遊技より遊技者にとって有利な特別遊技と、を有し、少なくとも所定遊技数の消化により当該通常遊技と特別遊技との間で遊技状態を移行させる遊技機において、前記特別遊技から前記通常遊技へ移行させる場合に、当該特別遊技の有利度合に基づいて、当該特別遊技終了後、通常遊技から再度特別遊技へ移行させる場合の前記所定遊技数を決定する移行条件決定手段321を備えることを特徴とする。
ここで、「通常遊技より遊技者にとって有利な特別遊技」には、いわゆるＡＴやＡＲＴなどの、当選役に関する報知が行われる演出状態を含むが、これに限定されない。
これにより、特別遊技の有利度合によって、再度特別遊技へ移行させる場合の移行条件を変更することが可能な遊技機を提供することができる。
【００１０】
（請求項２）
請求項２の発明は、上記した請求項１に記載の発明の特徴点に加え、前記有利度合は、前記特別遊技中に獲得した遊技媒体数であることを特徴とする。
これにより、特別遊技中に獲得した遊技媒体数によって、再度特別遊技へ移行させる場合の移行条件を変更することが可能な遊技機を提供することができる。
【００１１】
（請求項３）
請求項３の発明は、上記した請求項１又は２に記載の発明の特徴点に加え、前記所定遊技数には、当該所定遊技数の異なる複数のモードが設定されており、前記移行条件決定手段321は、前記移行条件として、前記有利度合が低いほど、前記所定遊技数の高いモードより少ないモードが決定されやすいようにしていることを特徴とする。
ここで、「所定遊技数の異なる複数のモード」には、例えば「所定遊技数」が「７７７ゲーム」のモード、「所定遊技数」が「３８４ゲーム」のモード、「所定遊技数」が「１２８ゲーム」のモード、「所定遊技数」が「３２ゲーム」のモードが含まれるが、これに限定されない。
これにより、特別遊技中に獲得した遊技媒体数が少ない場合には、特別遊技への移行条件を緩和することが可能な遊技機を提供することができる。
【発明の効果】
【００１２】
本発明は、以上のように構成されているので、以下に記載されるような効果を奏する。
（請求項１）
請求項１に記載の発明によれば、特別遊技終了後は、通常遊技を実行させて遊技者自らの技術により特別遊技への移行を狙う一方、当該通常遊技中に特別遊技への移行ができない場合は、特別遊技の有利度合によって再度特別遊技へ移行させる場合の遊技数を変更することで、遊技の面白みを維持しつつ、遊技者の投資と利益とのバランスをとることができる遊技機を提供することができる。
【００１３】
（請求項２）
請求項２に記載の発明によれば、上記した請求項１に記載の発明の効果に加え、特別遊技中に獲得した遊技媒体数によって、再度特別遊技へ移行させる場合の移行条件を変更することが可能な遊技機を提供することができる。
【００１４】
（請求項３）
請求項３に記載の発明によれば、上記した請求項１又は２に記載の発明の効果に加え、特別遊技中に獲得した遊技媒体数が少ない場合には、特別遊技への移行条件を緩和することが可能な遊技機を提供することができる。
【図面の簡単な説明】
【００１５】
【図１】本発明の実施の形態であって、遊技機を示す外観正面図である。
【図２】本発明の実施の形態であって、各リールに設けてある図柄の配置を示す図である。
【図３】本発明の実施の形態であって、遊技機の入力、制御及び出力を示すブロック図である。
【図４】本発明の実施の形態であって、ボーナス役の図柄組合せ等を示す図である。
【図５】本発明の実施の形態であって、ベル役の図柄組合せ等を示す図である。
【図６】本発明の実施の形態であって、スイカ役の図柄組合せ等を示す図である。
【図７】本発明の実施の形態であって、チェリー役の図柄組合せ等を示す図である。
【図８】本発明の実施の形態であって、再遊技役の図柄組合せ等を示す図である。
【図９】本発明の実施の形態であって、８枚ベル役における重複当選役（同時当選役）を示す図である。
【図１０】本発明の実施の形態であって、３枚ベル役における重複当選役（同時当選役）を示す図である。
【図１１】本発明の実施の形態であって、再遊技役における重複当選役（同時当選役）の停止操作順を示す図である。
【図１２】本発明の実施の形態であって、停止操作順毎の入賞役を示す図である。
【図１３】本発明の実施の形態であって、遊技進行制御手段における遊技制御処理を示すフローチャートである。
【図１４】本発明の実施の形態であって、獲得枚数と、モードの抽選確率を示す図である。
【図１５】本発明の実施の形態であって、モード毎の所定遊技数を示す図である。
【図１６】本発明の実施の形態であって、前兆モード毎の演出コースの抽選確率を示す図である。
【図１７】本発明の実施の形態であって、演出コース毎の演出ブロックの順番を示す図である。
【図１８】本発明の実施の形態であって、前兆モード毎の演出ブロックにおけるストップスイッチの操作順番を報知する確率を示す図である。
【図１９】本発明の実施の形態であって、演出の移行状態を示す図である。
【図２０】本発明の実施の形態であって、遊技進行制御手段における遊技制御処理を示すフローチャートである。
【図２１】本発明の実施の形態であって、特殊遊技の抽選処理を示すフローチャートである。
【図２２】本発明の実施の形態であって、前兆モードの処理を示すフローチャートである。
【図２３】本発明の実施の形態であって、移行条件決定処理を示すフローチャートである。
【発明を実施するための形態】
【００１６】
本明細書では、各説明箇所において、方向についての定義等が示されていない場合には、遊技機10の方を向いて位置している遊技者から見て、遊技機10から遊技者の手前側に向かう方向を「前方向」とし、その逆方向を「後方向」とする。また、同様に、「左方向」や「右方向」等の左右方向も、遊技者から見た場合の左方向や、右方向を意味する。同様に、各部材の説明においても、方向についての定義等が示されていない場合には、各部材を、遊技機10の所定位置に固定した状態における遊技者から見た方向を意味する。
本実施の形態に係る遊技機10としてのスロットマシンを、以下、図１を参照しながら説明する。本実施の形態に係る遊技機10としてのスロットマシンは、前方向に向かって開口する正面開口を有する四角箱状の筐体12と、この筐体12の正面開口を開閉自在に覆う前扉14とを備えている。
【００１７】
前扉14の上部には、薄板樹脂からなる上パネル20を備えている。この上パネル20の略中央には、３個のリール62（正面から向かって左側の左リール64、中央の中リール66、右側の右リール68）の円周上の図柄650を見ることができる透過可能な図柄表示窓部16が形成されている。この図柄表示窓部16は、３個全てのリール62の回転が停止した際には、縦３列横３行に配置した合計９個の図柄650を遊技者に見せるように形成されている。この図柄表示窓部16は、リール62の正面側に設けられて、リール62の回転が停止した際、後述する有効ライン86上に停止している複数の図柄650を視認するためのものである。リール62は、複数の図柄650を図柄表示窓部16を介して変動表示可能なものである。
【００１８】
前記図柄表示窓部16の奥には、３個の駆動モータによってリール62を回転させるためのリールユニット60が配置されている。
前記前扉14には、遊技者に役抽選の当選等の種々の情報を音や光や映像で報知させる演出装置70（図１及び図３参照）が形成されている。この演出装置70は、前扉14に配置されたスピーカー72（図１及び図３参照）と、画像表示部84（図１及び図３参照）と、ランプ78（図１及び図３参照）とを備えている。
前記スピーカー72は、前扉14の上部左右に配置された上部スピーカー74と、前扉14の下部左右に配置された下部スピーカー76とを備えている。
前記画像表示部84は、その画面に種々の映像を表示するための表示デバイスであり、動画を含んだ映像の表示を行うための液晶表示装置を有する演出ユニットを構成するものである。
【００１９】
前記ランプ78は、前扉14の上部に配置された上部ランプ80と、前扉14の下部に配置された下部ランプ82とを備えている。
前記前扉14の下部には下パネル22が設けられている。そして、前扉14には下パネル22の上に位置して前扉14の前方向へ向けて突出する操作部30を備えている。
本実施の形態に係る遊技機10には、遊技開始の条件として後述するメダル投入口38から予めメダルを投入して、最大５０枚までクレジットメダルとして内部に貯留可能なクレジット機能（投入枚数を電子データとして電子的に記憶し管理する機能）を有している。なお、このクレジットメダルとして貯留可能な最大枚数である５０枚を最大クレジットメダル数とする。
【００２０】
前記メダル投入口38の下には、クレジット機能によりクレジットしたメダルの全てを払い出すための精算スイッチ36が設けられている。この精算スイッチ36の左側には、操作により対応するリール62の回転を停止させるため、３個のリール62のそれぞれに対応する３個のストップスイッチ50が設けられている。このストップスイッチ50は、左リール64を停止させるための左ストップスイッチLと、中リール66を停止させるための中ストップスイッチCと、右リール68を停止させるための右ストップスイッチRとを有している。すなわち、これらのストップスイッチ50は、複数のリール62それぞれに対応して設けられ、複数のリール62の図柄650の変動表示の開始後、遊技者の操作によりリール62の図柄650の変動表示を個別に停止させるためのものである。このストップスイッチ50の左側には、メダルの投入又はベットスイッチの操作を条件にリール62の回転を開始させるためのスタートスイッチ40が設けられている。すなわち、このスタートスイッチ40は、遊技者の操作によりリール62の図柄650の変動表示を開始させるためのものである。このスタートスイッチ40の上には、クレジットしたメダル数から最大投入枚数（具体的には３枚）に達するまで投入可能なメダル数を減じて３枚のメダル投入に代えるマックスベットスイッチ34が設けられている。なお、本実施の形態では、後述するように有効ライン86は１本であるため、マックスベットスイッチ34の他に、クレジットしたメダルを１枚減じて１枚のメダル投入に代えるシングルベットスイッチを設けていないが、有効ラインを１本以外の２本以上の複数本設定されている場合は、投入枚数を遊技者が選択可能にするために、シングルベットスイッチを設けるようにしても良い。また、後述するＣＢＢ中には上記３枚投入が２枚投入に設定されている。
【００２１】
前記前扉14の下部の奥には、メダルを貯留することができるとともに、メダルを払い出すことができるホッパーユニット24（図３参照）と、電源投入又は電源遮断のための操作が可能な電源スイッチを有すると共に各部品に電力を供給するための電源装置（図示せず）とが配置されている。
そして、前扉14の下部には、所定の場合にホッパーユニット24からメダルが払い出されるメダル払出口28が形成されている。このメダル払出口28の下方には、メダル払出口28から払い出されたメダルを貯留するため、上方に向かって開口する皿状のメダル受け皿26が形成されている。なお、クレジットされているメダル数が最大クレジットメダル数である５０枚未満の場合は、５０枚に到達するまで、獲得したメダルはメダル払出口28から払い出されずにクレジットメダルの枚数に加算される。
【００２２】
本実施の形態に係る遊技機10は、マックスベットスイッチ34の操作又はメダル投入により所定枚数のメダルを投入することにより遊技の開始を可能とするものである。そして、スタートスイッチ40の押下操作により、リール62の回転を開始させて遊技が開始されるとともに、役抽選が行われる。そして、当該遊技機10は、各リール62に対応するストップスイッチ50の操作タイミング及び役抽選の結果に基づいて、リール62の回転を役抽選の結果に適合するように停止させる。当該遊技機10は、停止時の図柄650の組合せによって、当選した役を構成する図柄650の組合せが所定の有効なライン（所定の役の図柄650の組合せが当該ライン上に揃ったときに所定の利益が付与されるラインのことであり、以下、有効ライン86とする。）上に停止した場合に、入賞等となり、所定枚数のメダルを払い出す等の所定の利益を遊技者に付与する。これにより、１回の遊技が終了するものである。
【００２３】
なお「有効ライン86」は後述の遊技結果判定手段230の判定対象となるラインを意味し、後述する小役の「入賞」等は有効ライン86上に役に対応した図柄650の組合せが揃うことを意味する。本実施の形態の有効ライン86は、左リール64の上段と、中リール66、右リール68の中段とを結んだ１本のみからなるものである。また、有効ライン86は１本に限定されず、２本以上であっても良い。
図２に示すように、左リール64、中リール66及び右リール68の表面には、「赤７（Ｒ７）」、「ベル（ＢＥ）」、「リプレイ（ＲＰ）」、「チェリー１（Ｃ１）」、「チェリー２（Ｃ２）」、「スイカ１（Ｗ１）」、「スイカ２（Ｗ２）」、「ＢＲ」、「Ｂ１」、「Ｂ２」等の複数の種々の図柄650が形成されている。
【００２４】
これら図柄650は、それぞれの絵柄がプリントされたテープをリール62の外周表面に貼付することで形成されている。なお、図２の図柄番号（コマ番号）は、リール62の外周表面に物理的に付されているものではなく、仮想的な番号であって、各図柄650の停止を制御するためのプログラムで特定の図柄650を指定するためのものである。
【００２５】
図３に示すように、遊技機10の内部には、遊技機10の全体の動作を制御するための遊技制御手段100が形成されている。前記遊技制御手段100は、遊技を進行させて遊技状態を制御する遊技進行制御手段200と、この遊技進行制御手段200からの情報（コマンド）を受けて、遊技の進行に応じた演出を制御し、主に遊技内容に関する情報を遊技者に報知する演出を行うために演出状態を制御する演出制御手段300とを備えている。なお、遊技進行制御手段200と演出制御手段300との間は、遊技進行制御手段200への不正操作を防止するために、遊技進行制御手段200から演出制御手段300への一方向の通信により行われている。遊技進行制御手段200は、マックスベットスイッチ34、精算スイッチ36、スタートスイッチ40、ストップスイッチ50の入力を受け付け、役抽選を行い、リールユニット60及びホッパーユニット24の作動を制御する。演出制御手段300は、遊技進行制御手段200から信号を入力し、画像表示部84等の演出装置70の作動を制御する。演出制御手段300の出力側には、演出装置70としてのスピーカー72、画像表示部84、ランプ78の各パーツが接続されている。
【００２６】
なお、特に図示していないが、遊技進行制御手段200を有するメイン基板と、演出制御手段300を有するサブ基板とは、それぞれ専用の基板ケースの内部に収納されている。具体的には、遊技進行制御手段200は、メイン基板ケースの内部に収納され、演出制御手段300は、サブ基板ケースの内部に収納されている。そして、メイン基板ケースは、筐体12内部の奥側の上部に固定され、サブ基板ケースは、筐体12内部の正面から向かって左側に固定されている。
【００２７】
遊技進行制御手段200、演出制御手段300のそれぞれは、ＣＰＵ、ＲＯＭ、ＲＡＭ、Ｉ／Ｏポート（図示せず）を備えたマイクロコンピュータにより構成される。ＣＰＵは、タイマ割込などの割込機能を持ち、ＲＯＭに記憶されたプログラムを実行して、種々の処理を行う。ＲＯＭは、ＣＰＵが実行するプログラムや各種テーブル等の固定的なデータを記憶し、ＲＡＭは、ＣＰＵがプログラムを実行する際の一時的な記憶領域、例えば遊技機10の状態を記憶するための記憶領域や、役抽選の抽選結果を記憶するための記憶領域として使用される。
【００２８】
（遊技進行制御手段200）
遊技進行制御手段200は、役抽選手段210、リール制御手段220、遊技結果判定手段230、通常状態制御手段240、特定遊技制御手段250、ボーナス遊技制御手段260、特殊遊技制御手段270、ホッパー制御手段280及びフリーズ制御手段290の各手段を有する。各手段の詳細については後述する。
なお、これらの手段、特に、特殊遊技制御手段270は、遊技進行制御手段200ではなく、演出制御手段300が有しても良い。
以上の構成をもって、遊技進行制御手段200は、役の抽選を行い、リール62の回転及び停止を制御し、リール62がすべて停止したときに停止図柄判定を行い、遊技の進行を行う手段として機能することとなる。
【００２９】
遊技進行制御手段200は、遊技を制御するためのものであって、メイン遊技を実行するためのものである。以下、本実施の形態における遊技について説明する。
規定の賭け数（３枚）が設定されると、１本の有効ライン86（図１参照）が設定される。なお、本実施の形態に係る遊技機10は、規定の賭け数として３が設定されている。賭け数を設定する方法には、メダル投入口38からメダルを投入する方法と、マックスベットスイッチ34を操作することによってクレジットメダルを賭け数として設定する方法とがある。そして、規定の賭け数（３枚）が設定されていることを条件に、スタートスイッチ40を操作すると、賭け数が確定し、役抽選手段210により、複数の役のいずれかに当選したか又はハズレかの抽選（役抽選）が行われる。また、役抽選とほぼ同時に、前回の遊技でのリール62の回転開始時から所定の時間（本実施の形態では、４．１秒）が経過しているか否かが判定され、所定の時間が経過すると、３個すべてのリール62の回転が開始する。なお、本実施の形態では、後述するボーナス遊技（ＣＢＢ）中のみ上記規定数が２に設定されている。
【００３０】
本実施の形態では、役として、大別すると、小役（メダルの払い出しを伴う役）、再遊技役（遊技者所有のメダルを使用することなく次回の遊技を開始可能とする役、いわゆるリプレイ役）、移行役（遊技状態の移行を伴う役）が設けられている。
リール62の回転開始後、所定の条件（本実施の形態では、リール62を加速する処理を実行した後、所定のセンサによりリール62の回転位置が基準位置であることを検出すること）が成立すると、ストップスイッチ50の操作が可能な状態（停止操作可能状態）となる。
その後に、３個のストップスイッチ50のうち１個を操作すると、当該ストップスイッチ50に対応したリール62の回転が停止する。そして、３個すべてのストップスイッチ50の操作を終えると、３個すべてのリール62の回転が停止する。
【００３１】
このとき、有効ライン86上に所定の図柄650の組合せが揃うと、当該図柄650の組合せに対応した処理が行われる。本実施の形態に係る遊技機10は、有効ライン86上に予め定められた図柄650の組合せが揃うと遊技者に利益が付与されるように形成されている。例えば小役に対応した図柄650の組合せが有効ライン86上に揃うと、小役に対応した枚数のメダルが遊技者に対して付与される（図５〜７参照）。
また、本実施の形態では、通常に行われる通常状態と、この通常状態よりも遊技者へ付与される利益がより大きくなり得るボーナス遊技状態、特定遊技状態（ＲＴ遊技状態）及び特別遊技状態（ＡＴ遊技状態）が設けられている。前記ボーナス遊技状態は、いわゆるチャレンジボーナス（ＣＢＢ））を実行可能なＣＢＢ遊技状態がある。前記特定遊技状態は、いわゆるリプレイタイム（ＲＴ）を実行可能なリプレイタイム遊技状態（ＲＴ遊技状態）がある。また、前記特別遊技状態は、いわゆるアシストタイム（ＡＴ）を実行可能なアシストタイム遊技状態（ＡＴ遊技状態）と、ＡＴとＲＴとを組合せたいわゆるアシストリプレイタイム（ＡＲＴ）を実行可能なアシストリプレイタイム遊技状態（ＡＲＴ遊技状態）とがある。
【００３２】
前記リプレイタイム遊技状態（ＲＴ遊技状態）は、再遊技役（リプレイ役）の当選の確率が通常状態での遊技よりも高く（或いは低く）設定されたものである。このＲＴ遊技状態は、メイン基板を有する特定遊技制御手段250により制御される。
前記アシストタイム（ＡＴ）は、ストップスイッチ50の停止操作順番や当選図柄等を報知することによって役に係る図柄650の組合せを有効ライン86上に揃って停止させるためのアシストをする遊技状態である。このＡＴは、演出（演出装置70を用いて実行する報知演出）に関するものであり、主に、演出制御手段300により制御されるものである。
前記アシストリプレイタイム遊技状態（ＡＲＴ遊技状態）は、ＡＴ遊技状態とＲＴ遊技状態とを組合せたものである。
【００３３】
ボーナス遊技は、移行役としてのボーナス移行役に当選し、さらにボーナス移行役に対応した図柄の組合せ（例えば、図４に示す、「Ｃ１、Ｂ２、Ｂ１」）が有効ライン86上に揃うと、揃った遊技の次回の遊技から開始される遊技である。なお、ボーナス移行役は、当選時の遊技で有効ライン86上にボーナス移行役に対応する図柄の組合せが揃わなくても、次回の遊技以降、有効ライン86上にボーナス移行役に対応する図柄の組合せが揃うまでボーナス移行役に当選した状態が有効である。その他の役は、当選時の遊技で有効ライン86上に役に対応する図柄の組合せが揃わなければ、次回の遊技以降は無効となる。ボーナス遊技状態は、ボーナス遊技状態中に遊技者へ払い出したメダルの総枚数が予め設定された枚数を超えたときに終了する。
【００３４】
本実施の形態では、ボーナス遊技状態として、主に遊技進行制御手段200により制御されるチャレンジボーナス遊技状態（ＣＢＢ）が設けられている。チャレンジボーナス遊技状態は、全ての小役を当選状態にすることで小役の入賞を容易にしているものである。なお、チャレンジボーナス遊技状態中は所定の場合にストップスイッチ50の操作時から７５ｍｓ以内に停止させることになっており、通常状態よりもいわゆる滑りコマ数が少なくなっている。具体的には、本実施の形態に係るチャレンジボーナス遊技状態では、右リール68は、右ストップスイッチRを停止操作したときのタイミングで表示位置にある図柄と、その図柄の１コマ上の図柄との２コマの範囲内の中から停止可能な、いわゆる「１コマすべり」の状態となっている。本実施の形態に係るチャレンジボーナス遊技状態は３４枚を超える払出枚数で終了する。もちろん、この終了条件は３４枚に限定されるものではなく、他の枚数でもよいものである。
【００３５】
また、有効ライン86上に再遊技役（リプレイ役）に対応する図柄の組合せが揃うと、メダルの払い出しはないものの、次回の遊技において遊技者所有のメダルを使用することなく賭け数が自動的に設定され遊技を行うことができる。
【００３６】
（役抽選手段210）
役抽選手段210は、遊技進行制御手段200が備える手段であり、スタートスイッチ40の操作を契機に、複数の役のいずれかに当選か又はハズレかの抽選（役抽選）を行うためのものである。役抽選手段210は、役に当選したか否かを決定するための抽選データを備えており、遊技進行制御手段200のＲＯＭ上に記憶されている。役抽選手段210は、予め定めた抽選データと、所定範囲の整数値を繰り返してカウントするループカウンタを有する所定の乱数発生手段（乱数発生回路）が発生した乱数のうちから抽出した乱数とを比較して、当選か否かを判定する。
また、役抽選手段210が行う抽選には、図９乃至図１１を用いて後述するように、特典の異なる複数の役が同時に当選するか否かの抽選を含む。
ここで、特典の異なる複数の役は、リール制御手段220により、ストップスイッチ50が所定の操作順番で操作された場合に予め定められたリール62の図柄が停止されるように設定されている。
なお、役抽選手段210による処理は、後述するステップ１１３（図２０参照）において行われる。
【００３７】
（リール制御手段220）
リール制御手段220は、遊技進行制御手段200が備える手段であり、各リール62の回転を停止させるためのものである。リール制御手段220は、役抽選手段210の抽選結果と、各ストップスイッチ50が操作されたときの対応するリール62の回転位置とに基づいて、各リール62の回転を停止させる。
具体的には、各リール62の駆動モータを制御することで、回転方向に予め定められた図柄数分、本実施の形態では４コマ以内の図柄までの範囲に、当選した役に対応する図柄が含まれている場合には、当該図柄が有効ライン86上に揃うように引き込み制御を行い、且つ、当選していない役に対応した図柄が有効ライン86上に揃わないように蹴飛ばし制御を行う。
なお、リール制御手段220は、必要に応じて各ストップスイッチ50が停止操作されるときの順番（停止操作順番）が所定の条件に適合しているか否かも停止させる条件にする場合がある。リール制御手段220による処理は、後述するステップ１１４（図２０参照）において行われる。
【００３８】
（遊技結果判定手段230）
遊技結果判定手段230は、遊技進行制御手段200が備える手段であり、すべてのリール62が停止した際における有効ライン86上の図柄の組合せを記憶するとともに入賞等の判定をするためのものである。なお、遊技結果判定手段230による処理は、後述するステップ１１５（図２０参照）において行われる。
【００３９】
（通常状態制御手段240）
通常状態制御手段240は、通常状態の進行を制御するものである。
ここで、通常状態とは、後述する特定遊技制御手段250によるリプレイタイム（ＲＴ）や、ボーナス遊技制御手段260によるＣＢＢ以外の遊技状態をいう。
なお、通常状態中は、再遊技役の当選確率は、リプレイタイム（ＲＴ）より低く設定されている。
【００４０】
（特定遊技制御手段250）
特定遊技制御手段250は、特定遊技、本実施の形態ではリプレイタイム「ＲＴ」の進行を制御するものである。
【００４１】
（ボーナス遊技制御手段260）
ボーナス遊技制御手段260は、ボーナス遊技、本実施の形態では「ＣＢＢ」の進行を制御するものである。
なお、ＣＢＢ中は、再遊技役の当選確率は「０」に設定されている。
【００４２】
（特殊遊技制御手段270）
特殊遊技制御手段270は、特殊遊技を制御するものであり、本実施の形態では、特殊遊技とは、所定ゲーム数の間、役抽選手段210の抽選結果に応じて、ＡＴのストック抽選を行う遊技状態をいう。
また、特殊遊技制御手段270は、特殊遊技中に、毎ゲーム、リール演出の抽選を行うとともに、特殊遊技が予め定められたゲーム数に達した場合には、リール演出が発生するように設定されている。
ここで、リール演出は、メダルを投入せずに、所定の遊技が可能なゲーム等である。
なお、当選したＡＴのストックは、後述する遊技回数制御手段の遊技数カウンタに記憶される。
【００４３】
（ホッパー制御手段280）
ホッパー制御手段280は、遊技結果判定手段230の判定結果に基づいて、メダル払い出し等の所定の処理を行うためのものである。ホッパー制御手段280は、遊技結果判定手段230の判定の結果、小役が入賞していると判定されるとメダルの払い出しを行う。
【００４４】
（フリーズ制御手段290）
フリーズ制御手段290は、遊技進行制御手段200の制御に基づく遊技の進行を所定時間停止するフリーズを実行するものである。
フリーズ制御手段290は、本実施の形態では、所定の役に当選し、所定の停止操作順番でストップスイッチ50の操作がされた場合に、当該ストップスイッチ50の操作のいわゆる第３停止から所定条件が成立するまでの間、次ゲームの遊技の開始を停止、すなわち、メダルの投入又はマックスベットスイッチ34の操作によるベットが不能とさせるフリーズを実行する。
そして、所定条件が成立後、遊技の進行が再開される。
なお、上述した第３停止後から所定条件が成立するまでの間、フリーズを実行する場合に限定されない。
また、フリーズ制御手段290によるフリーズは、上述した第３停止後のものに限定されず、スタートスイッチ40操作後の回転リールの回転開始を留保するフリーズを実行しても良い。
ここで、所定条件には、予め定められた時間が経過することや、遊技者が所定の操作を行ったこと等を含む。
【００４５】
（演出制御手段300）
演出制御手段300は、通常遊技制御手段310、遊技形態制御手段320、特殊遊技演出制御手段330及び特別遊技制御手段340の各手段を有する。手段の詳細については後述する。なお、遊技形態制御手段320及び特別遊技制御手段340は、演出制御手段300ではなく、遊技進行制御手段200が有しても良い。
以上の構成をもって、演出制御手段300は、演出の有無、態様を決定し、遊技の状態に応じた演出を制御する手段として機能することとなる。
演出制御手段300は、所定の演出を実行することが決定された場合に演出を実行するためのものである。
具体的には、演出制御手段300は、ランプ78を駆動するためのＬＥＤ駆動回路（図示せず）に対してＬＥＤの点灯や消灯を規定するデータを出力したり、スピーカー72から音を出力するための音声出力回路（図示せず）に対して出力する音声を規定するデータを出力したり、画像表示部84を駆動するための液晶制御基板（図示せず）に対して出力する映像データを規定するデータを出力したりする。
【００４６】
（通常遊技制御手段310）
通常遊技制御手段310は、通常遊技の進行を制御するものである。
ここで、通常遊技とは、後述する特別遊技制御手段340によるアシストタイム（ＡＴ）、アシストリプレイタイム（ＡＲＴ）以外の遊技状態をいう。
また、通常遊技制御手段310には、図３に示すように、演出決定手段311、操作手順報知手段312の各手段を有する。
【００４７】
（演出決定手段311）
演出決定手段は、演出の異なる複数の演出コースから所定の演出コースを決定するものである。
【００４８】
（操作手順報知手段312）
操作手順報知手段312は、後述する演出ブロックに設定されている抽選確率に基づいて（図１８参照）、操作手順を報知するか否かを抽選し、操作手順を報知すると決定された場合に、ストップスイッチ50の停止手順を画像表示部84などを用いることにより報知するものである。
【００４９】
（遊技形態制御手段320）
遊技形態制御手段320は、通常遊技において、複数のモード（図１５参照）を制御するものである。
遊技形態制御手段320は、図３に示すように、移行条件決定手段321、有利度合計数手段322の各手段を有する。各手段の詳細については後述する。
【００５０】
（移行条件決定手段321）
移行条件決定手段321は、特別遊技であるＡＴから通常遊技へ移行させる場合、本実施の形態では、特別遊技終了準備状態から通常遊技へ移行する場合に、当該ＡＴの有利度合に基づいて、当該ＡＴ終了後、通常遊技から再度特別遊技であるＡＴへ移行させる場合の移行条件、本実施の形態では、予め定められた所定遊技数の消化により通常遊技から特別遊技であるＡＴへ移行させる場合の所定遊技数、を決定するものである。そして、所定遊技数は、図１５を用いて後述するように、「第１モードＡ」〜「第４モードＤ」までの４つのモードに設定されており、移行条件決定手段321は、モードを抽選することにより、所定遊技数を決定するように設定されている。
【００５１】
ここで、ＡＴの有利度合は、次のものが含まれる。
（１）獲得した遊技媒体数
（２）払出役のナビ回数
（３）リプレイのナビ回数
なお、ＡＴの有利度合は、上述した（１）〜（３）に記載のものに限定されず、他のものであっても良いし、上述した（１）〜（３）を組み合わせても良い。
【００５２】
（獲得した遊技媒体数）
獲得した遊技媒体数は、特別遊技であるＡＴ中に獲得した遊技媒体数であり、後述する獲得枚数計数手段により計数される。
すなわち、図１４及び図１５に示すように、ＡＴ中に遊技媒体を多く獲得した場合（メダルの払出が多い場合）、例えば８０１枚以上の場合は、所定遊技数の多いモード（例えば第１モードＡ：５０％）が所定遊技数の少ないモード（例えば第４モードＤ：１０％）より抽選される確率が高く、遊技媒体を多く獲得しない場合（メダルの払出が少ない場合）、例えば１枚から２００枚の場合は、所定遊技数の少ないモード（例えば第４モードＤ：４０％）が所定遊技数の多いモード（例えば第１モードＡ：１０％）より抽選される確率が高くなるように設定されている。
なお、図１４を用いた抽選を行わず、ＡＴ中に獲得した遊技媒体数に基づいて、モードを選択（例えば、８０１枚以上の場合は第１モードA、６０１枚以上かつ８００枚以下の場合は第２モードB、２０１枚以上かつ６００枚以下の場合は第３モードC、２００枚以下の場合は第４モードD）するようにしてもよい。
【００５３】
（払出役のナビ回数）
払出役のナビ回数は、ベル役に当選した場合に実行されるベル役の操作手順を報知するナビ抽選の当選回数であり、後述するナビ回数計数手段により計数される。
すなわち、図示しないが、ベル役の操作手順の報知抽選に当選した数が、所定回数より多いと、所定遊技数の多いモード（例えば第１モードＡ）が所定遊技数の少ないモード（例えば第４モードＤ）より抽選される確率が高く、所定回数より少ないと、所定遊技数の少ないモード（例えば第４モードＤ）が所定遊技数の多いモード（例えば第１モードＡ）より抽選される確率が高くなるように設定されている。
なお、前述の獲得した遊技媒体数と同様に、図１４を用いた抽選を行わず、ＡＴ中の払役のナビ回数に基づいて、モードを選択するようにしてもよい。
【００５４】
（リプレイのナビ回数）
リプレイのナビ回数は、ベル役に当選した場合に実行されるリプレイの操作手順を報知するナビ抽選の当選回数であり、後述するナビ回数計数手段により計数される。
すなわち、図示しないが、リプレイの操作手順の報知抽選に当選した数が、所定回数より多いと、所定遊技数の少ないモード（例えば第４モードＤ）が所定遊技数の少ないモード（例えば第１モードＡ）より抽選される確率が高く、所定回数より少ないと、所定遊技数の少ないモード（例えば第１モードＡ）が所定遊技数の多いモード（例えば第４モードＤ）より抽選される確率が高くなるように設定されている。
なお、前述の獲得した遊技媒体数と同様に、図１４を用いた抽選を行わず、ＡＴ中のリプレイのナビ回数に基づいて、モードを選択するようにしてもよい。
なお、上述した払出役のナビ回数とは異なり、リプレイのナビ回数が多いほど、移行条件が有利になっているのは、特別遊技であるＡＴ中に、リプレイに入賞した場合は、ベル役に入賞したときに比べ、遊技者の利益が少ないためである。
【００５５】
（有利度合計数手段322）
有利度合計数手段322は、特別遊技であるＡＴの有利度合を計数するものであり、図示しないが、次の獲得枚数計数手段、ナビ回数計数手段の各手段を備える。
（獲得枚数計数手段）
獲得枚数計数手段は、特別遊技であるＡＴ中に獲得した遊技媒体数を計数するものである。
具体的には、遊技進行制御手段200から送信されるホッパー制御手段280により払い出されたメダルの枚数情報を受信することにより行われる。
（ナビ回数計数手段）
ナビ回数計数手段は、特別遊技であるＡＴ中に後述する操作態様報知手段により実行されるメダルを払い出す役、例えば、８ＢＥや３ＢＥのストップスイッチ50の停止操作順の報知回数と（図５、図１２参照）、メダルを払い出さない再遊技役のストップスイッチ50の停止操作順の報知回数と（図８、図１２参照）、を個別に計数するものである。
【００５６】
（特殊遊技演出制御手段330）
特殊遊技演出制御手段330は、遊技進行制御手段200の特殊遊技制御手段270により制御されている特殊遊技状態の演出を制御するものである。
【００５７】
（特別遊技制御手段340）
特別遊技制御手段340は、所定の遊技区間の間、通常遊技より有利な特別遊技の進行を制御、例えば、特別遊技への移行抽選や、移行制御等、するものである。
ここで、通常遊技より有利な特別遊技には、本実施の形態では上述したようにＡＴ、ＡＲＴが含まれる。
なお、特別遊技はＡＴ、ＡＲＴに限定されず、他の遊技であっても良い。
また、特別遊技制御手段340には、図示しないが、操作態様報知手段、遊技回数制御手段、上乗せ抽選手段の各手段を有する。
【００５８】
（操作態様報知手段）
操作態様報知手段は、特別遊技であるＡＴ中に、ストップスイッチ50の操作態様、例えば停止操作順を画像表示部84などを用いることにより報知するものである。
【００５９】
（遊技回数制御手段）
遊技回数制御手段は、特別遊技の遊技区間、本実施の形態では、特別遊技の遊技回数を抽選により決定し、当該遊技区間を管理するものである。
遊技回数制御手段による特別遊技の遊技回数の抽選は、後述する準備状態中にされるように設定されているが、準備状態中に限定されず、特別遊技開始時などに決定しても良い。
また、遊技回数制御手段には、図示しないが、特別遊技の遊技数カウンタを備え、特別遊技が進むにつれ、抽選により決定された特別遊技の遊技回数が記憶されたカウンタ値を減算していくように設定されている。
【００６０】
（上乗せ抽選手段）
上乗せ抽選手段は、通常遊技中や、特別遊技中に、当該特別遊技の上乗せをするか否か、及び上乗せする遊技区間、本実施の形態では上乗せする遊技数を抽選により決定するものである。
そして、上乗せ抽選手段により決定された上乗せ遊技数は、図示しないが遊技回数制御手段の遊技数カウンタに加算される。
また、上乗せ遊技数は、画像表示部84に表示され、遊技者に報知される。
【００６１】
図４に示すように、ボーナス移行役があり、その図柄組合せが、左リール64、中リール66、右リール68の順（以下同様）に（Ｃ１、Ｂ２、Ｂ１）であり、配当（メダル払出枚数）は０枚となっている。
【００６２】
図５に示すように、ベル役があり、ベル役には、払い出し枚数が８枚の８枚ベル役（８ＢＥ）、払い出し枚数が３枚の３枚ベル役（３ＢＥ１〜３ＢＥ３）、払い出し枚数が１枚の１枚ベル役（１ＢＥＡ１〜１ＢＥＡ１６、１ＢＥＢ１〜１ＢＥＢ５、１ＢＥＣ１〜１ＢＥＣ４、１ＢＥＤ１〜１ＢＥＤ６）がある。図柄組み合わせは、８ＢＥ（ＢＥ、ＢＥ、Ｃ１）、３ＢＥ１（Ｒ７、ＢＥ、ＲＰ）などである。
【００６３】
図６に示すように、小役（スイカ）として、ＷＭＡ１、ＷＭＡ２、ＷＭＢ１〜ＷＭＢ９までがあり、その図柄組合わせが、ＷＭＡ１（Ｗ１、Ｗ１、ＲＰ）、ＷＭＢ１（Ｂ２、Ｗ１、ＲＰ）などであり、配当は３枚となっている。
図７に示すように、小役（チェリー）として、ＣＨＡ１〜ＣＨＡ３９までがあり、その図柄組合わせが、ＣＨＡ１（ＢＲ、ＢＲ、ａｎｙ）、ＣＨＡ２（ＢＲ、Ｗ１、ａｎｙ）などであり、配当は１枚となっている。
なお、「ａｎｙ」は、どのような図柄が入賞ライン上に揃っても良いことを示す。
【００６４】
図８に示すように、再遊技役として、ＮＲＰ１〜ＮＲＰ５、ＢＥＲＰ１〜ＢＥＲＰ４、ＣＲＰＡ１〜ＣＲＰＡ８、ＣＲＰＢ１〜ＣＲＰＢ１６、７ＲＰ１〜７ＲＰ１１があり、その図柄組合わせが、ＮＲＰ１（ＲＰ、ＢＥ、Ｗ１）、ＢＥＲＰ１（ＲＰ、ＢＥ、ＢＥ）などであり、配当（メダル払出枚数）は、無し（但し次の遊技がメダル投入無しで遊技開始可能）となっている。
【００６５】
図９に示すように、役抽選の結果として、８ＢＥ、１ＢＥＢ１〜３、ＣＨＡ１３、１ＢＥＡ１、１ＢＥＡ９が同時に当選（重複して当選）する８ＢＥ（１）や、８ＢＥ、１ＢＥＢ１〜３、ＣＨＡ１３、１ＢＥＡ２、１ＢＥＡ１０が同時に当選（重複して当選）する８ＢＥ（２）、などが設けられている。
【００６６】
図１０に示すように、役抽選の結果として、３ＢＥ１〜３、１ＢＥＢ１〜３、ＣＨＡ１３、１ＢＥＡ１、１ＢＥＡ９が同時に当選（重複して当選）する３ＢＥ（１）や、３ＢＥ１〜３、１ＢＥＢ１〜３、ＣＨＡ１３、１ＢＥＡ２、１ＢＥＡ１０が同時に当選（重複して当選）する３ＢＥ（２）、などが設けられている。
【００６７】
図１１に示すように、役抽選の結果として、ＮＲＰ１〜ＮＲＰ５、ＢＥＲＰ１〜ＢＥＲＰ４、ＣＲＰＡ１が同時に当選するＢＥＲＰ（１）や、ＮＲＰ１〜ＮＲＰ５、ＢＥＲＰ１〜ＢＥＲＰ４、７ＲＰ５、７ＲＰ７、ＣＲＰＡ２が同時に当選するＢＥＲＰ（３）、などが設けられている。
【００６８】
図１２に示すように、役抽選の結果として、ストップスイッチの停止操作順に応じて、入賞する役が異なるように、（リール制御手段220が）停止制御を行う。
例えば、ＢＥＲＰ（１）の場合は、左リール第一停止（ＬＣＲ・ＬＲＣ）・右リール第一停止（ＲＬＣ・ＲＣＬ）であればリプレイ（ＮＲＰ１〜５）が成立し、中リール第一停止（ＣＬＲ・ＣＲＬ）であればベルリプレイ（ＢＥＲＰ１〜４）が成立する停止制御が行われる（図８、図１１参照）。
３ＢＥ（１）の場合は、左リール第一停止（ＬＣＲ・ＬＲＣ）であれば１枚ベル役（１ＢＥＢ１〜３、１ＢＥＡ１、１ＢＥＡ９）、チェリー役（ＣＨＡ１３）のうち、引き込み可能な範囲に図柄が配置されている場合は当該役が成立し、引き込み可能な範囲に図柄が拝呈されていない場合はハズレとなり、中リール第一停止（ＣＬＲ・ＣＲＬ）であれば３枚ベル役（３ＢＥ１〜３）が成立し、右リール第一停止（ＲＬＣ・ＲＣＬ）であれば１枚ベル役（１ＢＥＢ１〜３、１ＢＥＡ１、１ＢＥＡ９）、チェリー役（ＣＨＡ１３）のうち、引き込み可能な範囲に図柄が配置されている役が成立する停止制御が行われる（図５、図１０参照）。
８ＢＥ（１）の場合は、左リール第一停止（ＬＣＲ・ＬＲＣ）であれば１枚ベル役（１ＢＥＢ１〜３、１ＢＥＡ１、１ＢＥＡ９）、チェリー役（ＣＨＡ１３）のうち、引き込み可能な範囲に図柄が配置されている場合は当該役が成立し、引き込み可能な範囲に図柄が配置されていない場合はハズレとなり、中リール第一停止且つ左リール第二停止（ＣＬＲ）であれば８枚ベル役（８ＢＥ）が成立し、中リール第一停止且つ右リール第二停止（ＣＲＬ）・右リール第一停止（ＲＬＣ・ＲＣＬ）であれば１枚ベル役（１ＢＥＢ１〜３、１ＢＥＡ１、１ＢＥＡ９）、チェリー役（ＣＨＡ１３）のうち、引き込み可能な範囲に図柄が配置されている役が成立する停止制御が行われる（図５、図９参照）。
【００６９】
（遊技進行制御手段200の移行状態）
図１３は、遊技進行制御手段200側で管理している遊技状態の移行状態の一例を示している。
通常状態は、通常状態制御手段240により制御される通常状態の遊技が行われる遊技状態である。
通常状態における役抽選手段210による役抽選によりＣＢＢに当選した場合に、通常状態からＲＴ１状態に移行する。
移行は遊技進行制御手段200により行われる。
なお、本実施の形態において、通常状態中では数ゲーム以内にＣＢＢに当選するように設定されており、遊技進行制御手段200の遊技状態は、ＲＴ１状態で遊技される割合が大きいように設定されている。
【００７０】
ＲＴ１状態は、特定遊技制御手段250により制御される再遊技が通常状態より高確率で当選する遊技状態である。
ＲＴ１状態において、ＣＢＢのボーナス移行役の図柄組合せ（Ｃ１、Ｂ２、Ｂ１）が揃った場合に、ＲＴ１からＣＢＢに移行する。
なお、ＲＴ１状態中はＣＢＢが当選しないように、ＣＢＢを役抽選手段210の役抽選の対象外としている。
移行は処理は遊技進行制御手段200により行われる。
ＣＢＢ状態は、ボーナス遊技制御手段260により制御されるＣＢＢが行われる遊技状態である。
ＣＢＢ状態において所定枚数、例えば、３４枚の払出がされた場合に、ＣＢＢ状態から通常状態に移行する。
移行は遊技進行制御手段200により行われる。
【００７１】
（図１５を用いたモードの説明）
モードは、図１５に示すように、特別遊技への移行条件が異なった複数のものが設定されている。図１５に記載された所定遊技数を消化すると、特別遊技への移行抽選に当選しなくても、前兆モードに移行し、その後、特別遊技へ移行する。
各モードと移行条件である所定遊技数との関係は、図１５に示すように、次の通り設定されている。
（１）第１モードＡ：所定遊技数＝７７７ゲーム（以下、「ゲーム数」を「Ｇ」という。）
（２）第２モードＢ：所定遊技数＝３８４Ｇ
（３）第３モードＣ：所定遊技数＝１２８Ｇ
（４）第４モードＤ：所定遊技数＝３２Ｇ
なお、モードは、上記した４種類に限定されず、又、第１〜第４のモードの所定遊技数も、例示した数値に限定されない。
第１〜第４のモードを比較すると、第１モードＡの所定遊技数が最も高いゲーム数に設定されており、第２モードＢ、第３モードＣ、第４モードＤの順にゲーム数が少なくなるように設定されている。
すなわち、第４モードＤでは、３２ゲーム消化することで前兆モードへ移行することが決定されるが、第１モードＡでは、７７７ゲーム消化しなければ移行抽選に当選しない限り前兆モードへ移行することが決定されないようになっている。
【００７２】
（演出コース）
演出コースは、図１６に示すように、前兆モードによって抽選確率の異なる演出コース１〜２５から構成される。
すなわち、所定遊技数に達した場合（前兆モード１及び２）（前兆用）と、前兆演出への移行抽選に当選した場合（前兆モード３）（フェイク前兆用）により、図１６に示すように、演出コース１〜２５の抽選確率が異なって設定されている。
具体的には、前兆モード１の場合は、演出コース３〜８に当選しやすく設定されており、前兆モード２の場合は、後述するようにストップスイッチ50の操作順番の報知確率の高い演出ブロックが設定されている演出コース２１〜２５のみ当選されるように設定されており、前兆モード３の場合は、操作順番の報知確率の低い演出ブロックが設定されている演出コース３〜２０のみ当選されるように設定されている。
ここで、演出モード１及び２は、上述したように、所定遊技数に達した場合に移行するモードであるが、所定遊技数に達した際の抽選により、演出モード１が実行されるか、演出モード２が実行されるかが決定される。
【００７３】
演出コースは、図１７に示すように、４ゲームの演出ブロック８個で構成される演出である。
具体的には、演出コース１は、図１７に示すように、１〜３２ゲームまで「演出ブロックＡ」が８個設定されているコースである。
演出コース２は、図１７及び後述する図１８に示すように、１〜１２ゲームまで「演出ブロックＡ」が３個、１３〜２４ゲームまで「演出ブロックＡ」より特典が高い当選役のストップスイッチ50の操作順番を報知する確率が高い「演出ブロックＢ」が３個、２５〜３２ゲームまで「演出ブロックＢ」より特典が高い当選役のストップスイッチ50の操作順番を報知する確率が高い「演出ブロックＣ」が２個設定されているコースである。
また、演出コース２５は、図１７及び後述する図１８に示すように、１〜４ゲームまで「演出ブロックＡ」が１個、５〜８ゲームまで「演出ブロックＢ」が１個、９〜２０ゲームまで「演出ブロックＪ」が３個、２１〜２８ゲームまで「演出ブロックＫ」が２個、２９〜３２ゲームまで「演出ブロックＬ」が１個設定されているコースである。
演出コース３は、図１７及び後述する図１８に示すように、１〜１２ゲームまで「演出ブロックＡ」が３個、１３〜２４ゲームまで「演出ブロックＡ」より特典が高い当選役のストップスイッチ50の操作順番を報知する確率が高い「演出ブロックＢ」が３個、２５〜３２ゲームまで「演出ブロックＢ」より特典が高い当選役のストップスイッチ50の操作順番を報知する確率が高い「演出ブロックＣ」が２個設定されているコースである。
【００７４】
（演出ブロック）
演出ブロックは、演出ブロックＡ〜Ｌまで１２個設定されており、図１８に示すように、役抽選手段210の抽選結果に応じて、操作順番を報知するか否かを抽選により決定する確率が異なって設定されている。
なお、図１８の各グループ（ＢＥＲＰ（１）〜（４）、３ＢＥ（１）〜（８）、８ＢＥ（１）〜（８））の上側の図（（ａ）（ｃ）（ｅ））は、前兆モード３（フェイク前兆用）における操作順番の報知確率を示し、下側の図（（ｂ）（ｄ）（ｆ））は、前兆モード１及び２（前兆用）の操作順番の報知確率を示している。
【００７５】
具体的には、役抽選手段210の抽選結果が、「ＢＥＲＰ（１）」に当選であり、前兆モード１及び２の演出ブロックＡの状態では、図１８（ｂ）に示すように、６０％の確率で当該「ＢＥＲＰ（１）」に含まれる「ＢＥＲＰ１〜ＢＥＲＰ４」の操作順番が報知されるように設定されている。
なお、当該遊技において、報知された操作順番に従ってストップスイッチ50の操作が行われると、「ＢＥＲＰ１〜４」に対応する図柄が有効ライン86上に停止され、「ベルリプレイ役」が入賞するように設定されている。一方、報知された操作順番に従わなかった場合や、操作順番の報知に当選しなかった場合は、ストップスイッチ50が操作された順番によって、「リプレイ役」が入賞するように設定されている（図１２参照）。
同様に、前兆モード３の演出ブロックＡの状態では、図１８（ａ）に示すように、５０％の確率で「ＢＥＲＰ１〜４」の操作順番が報知されるように設定されている。
【００７６】
また、「３ＢＥ（１）〜（８）」に当選であり、前兆モード１の演出ブロックＡの状態では、図１８（ｄ）に示すように、４０％の確率で当該「３ＢＥ（１）〜（８）」に含まれる「３ＢＥ１〜３」の操作順番が報知されるように設定されている。
なお、当該遊技において、報知された操作順番に従ってストップスイッチ50の操作が行われると、「３ＢＥ１〜３」に対応する図柄が有効ライン86上に停止され、「３枚ベル役」が入賞するように設定されている。一方、報知された操作順番に従わなかった場合や、操作順番の報知に当選しなかった場合は、ストップスイッチ50が操作された順番によって、が入賞する役が異なるように設定されている（図１２参照）。
同様に、「３ＢＥ（１）〜（８）」に当選であり、前兆モード３の演出ブロックＡの状態では、図１８（ｃ）に示すように、７０％の確率で「３ＢＥ１〜３」の操作順番が報知されるように設定されている。
【００７７】
また、「８ＢＥ（１）〜（８）」に当選であり、前兆モード１の演出ブロックＡの状態では、図１８（ｆ）に示すように、３％の確率で当該「８ＢＥ（１）〜（８）」に含まれる「８ＢＥ」の操作順番が報知されるように設定されている。
なお、当該遊技において、報知された操作順番に従ってストップスイッチ50の操作が行われると、「８ＢＥ」に対応する図柄が有効ライン86上に停止され、「８枚ベル役」が入賞するように設定されている。一方、報知された操作順番に従わなかった場合や、操作順番の報知に当選しなかった場合は、ストップスイッチ50が操作された順番によって、入賞する役が異なるように設定されている（図１２参照）。
同様に、「８ＢＥ（１）〜（８）」に当選であり、前兆モード３の演出ブロックＡの状態では、図１８（ｅ）に示すように、９９％の確率で「８ＢＥ」の操作順番が報知されるように設定されている。
【００７８】
ここで、図１８に示す「ＢＥＲＰ」、「３ＢＥ１〜３」、「８ＢＥ」は、上述したように、「ＢＥＲＰ」はメダルの払い出しがなく、「３ＢＥ１〜３」は３枚のメダルが払い出され、「８ＢＥ」は８枚のメダルが払い出されるように設定されているため、遊技者への特典が異なって設定されている。
したがって、所定遊技数に達したことにより前兆モードに移行した場合には、演出コースの後半に、遊技者に有利な演出として、複数の役の内、特典が高い当選役のストップスイッチ50の操作順番を報知する確率が高い演出ブロックが設定されるようにされている（図１７参照）。
これにより、演出コースが進むにつれ、遊技者へ払い出される枚数の多い役が入賞しやすくなる操作順番が報知されやすくなり、当該報知に従うことで、図柄を揃えやすくすることができる。
【００７９】
（演出制御手段300の移行状態）
図１９は、主として演出制御手段300側で管理している遊技状態の移行状態を示している。
（通常遊技）
通常遊技（通常モード）は、通常状態制御手段310により制御される通常遊技の遊技が行われる遊技状態である。
通常遊技中には、特別遊技状態への移行抽選が行われ、当該移行抽選に当選した場合に、準備状態への移行が行われる。
移行抽選及び遊技の移行制御は、図３の特別遊技制御手段により行われる。
【００８０】
また、通常遊技中には、特殊遊技状態への移行抽選が行われる。当該移行抽選は、ストップスイッチ50を所定の操作順番で操作されることで入賞可能な役であり、本実施の形態では、「３ＢＥ１」に当選し、当該所定の操作順番でストップスイッチ50が操作された場合に、移行抽選に当選したとして特殊遊技状態への移行が行われる。
【００８１】
また、通常遊技への移行時に、図１５に示す当該通常遊技の所定遊技数と、所定遊技数未満のフェイク所定遊技数とを抽選により決定し、上述した特別遊技状態及び特殊遊技状態への移行抽選に当選することなく、所定遊技数及びフェイク所定遊技数に達した場合に、前兆モードへ移行する。
（前兆モード）
通常遊技への移行時に決定された所定遊技数に達した場合は、特別遊技に当選している可能性を示唆する前兆演出を行う前兆モードへ移行する。
その際に、前兆モードの種別抽選が行われ、前兆モード１が決定された場合は、前兆モード１のゲーム数の抽選が行われ、当該抽選により決定されたゲーム数の間、前兆モードの演出が行われ、又、前兆モード２が決定された場合は、予め定められたゲーム数、本実施の形態では３２回、の間、前兆モードの演出が行われる。
また、通常遊技への移行時に決定されたフェイク所定遊技数に達した場合は、前兆モード３に移行し、前兆モード３のゲーム数の抽選が行われ、当該抽選により決定されたゲーム数の間、前兆モードの演出が行われる。
【００８２】
前兆モードの遊技が開始された後、演出コースを抽選により決定する。
演出コースは、図１７に示すように、４ゲーム毎の演出ブロック８個が所定の順番で実行されるように構成されており、抽選により決定された前兆モードのゲーム数が、例えば３０ゲームであった場合は８ブロック目の２ゲームまで、２６ゲームであった場合は７ブロックの２ゲーム目まで前兆モードの演出が行われる。
（前兆モード１）
前兆モード１では、図１６に示すように、演出コース２〜２５から演出コースが抽選により決定される。
前兆モード１は、抽選により決定された前兆モード１のゲーム数を消化した後に、準備状態に移行する。
（前兆モード２）
前兆モード２では、図１６に示すように、演出コース２１〜２５から演出コースが抽選により決定される。
前兆モード２は、予め定められたゲーム数、本実施の形態では、３２回の前兆モード２のゲーム数が消化した後に、前兆モード２の前兆演出を終了し、通常モード２へ移行する。
（前兆モード３）
前兆モード３では、図１６に示すように、演出コース３〜２０から演出コースが抽選により決定される。
前兆モード３は、抽選により決定された前兆モード３のゲーム数を消化した後に、通常遊技に戻る。
なお、前兆モード３は、上述したように、フェイク所定遊技数に達した場合に移行するものであり、所定遊技数に達した場合に移行する前兆モード１及び２とは異なり、終了後であっても準備状態へは移行しないが（フェイク前兆）、前兆モード３中においても、特別遊技状態への移行抽選を行い、前兆モード３中に当該移行抽選に当選した場合は、準備状態に移行する。
【００８３】
また、前兆モード中は、図３の特殊遊技制御手段により、特殊遊技状態への移行抽選が行われ、当該移行抽選に当選した場合に、前兆モードを終了させて、特殊遊技状態へ移行する。
なお、前兆モードを終了させて特殊遊技状態へ移行する場合に限定されず、前兆モードを中断させて、特別遊技終了後通常遊技へ戻る際に、前兆モードを再開するようにしても良い。
ここで、特殊遊技状態への移行抽選は、予め定められた３枚ベル役、例えば３ＢＥ１に当選した場合に行われる。そして、特殊遊技状態へは、当該移行抽選に当選し、且つ、前兆モード中の操作手順報知抽選に当選し、当該報知された操作手順に従った場合に移行される。
なお、予め定められた３枚ベル役、例えば３ＢＥ１に当選し、且つ、前兆モード中の操作手順報知抽選に当選した場合であっても、特殊遊技状態への移行抽選に当選していない場合は、操作手順報知手段312は、特殊遊技状態へ移行しない操作手順を報知させるように設定されている。
【００８４】
（通常モード２）
通常モード２は、前兆モード２から移行し、通常遊技が行われる遊技状態であるが、演出コース２１〜２５の最後の順番に設定されている演出ブロックＬに設定されている当選役のストップスイッチ50の操作順番が報知される確率（１００％）に基づいて、当該操作順番を報知する抽選が行われる状態である。
また、通常モード２中は、毎ゲーム、特別遊技制御手段340によりＡＴ移行抽選が行われ、当該移行抽選に当選するまで通常モード２を維持し、当該移行抽選に当選した場合に、準備状態に移行する。
【００８５】
（特殊遊技状態）
特殊遊技状態は、特殊遊技、本実施の形態では、ＡＴのストック抽選を行う遊技を実行するための遊技状態であり、図３の特殊遊技制御手段270及び特殊遊技演出制御手段330により制御される。
特殊遊技状態は、予め定められたゲーム数、本実施の形態では、１５ゲーム実行され、当該ゲーム数に達した場合に、準備状態へ移行する。
【００８６】
また、特殊遊技状態中は、毎ゲーム、遊技進行制御手段200の特殊遊技制御手段270によりリール演出抽選が行われ、当該リール演出抽選に当選した次のゲームにおいて、フリーズ制御手段290によりフリーズが行われ、当該フリーズ中に特殊遊技演出制御手段330により、ＡＴがストックされることを期待させる演出が行われる。
なお、予め定められたゲーム回数、本実施の形態では、特殊遊技状態の開始時、５ゲーム目と６ゲーム目との間、１０ゲーム目と１１ゲーム目との間、１５ゲーム目の終了後には、抽選なしにリール演出が行われ、上述したフリーズが行われる。
また、特殊遊技制御手段270により、リール演出抽選に当選した際の役抽選手段210の抽選結果に応じて、ＡＴのストック数が決定され、当該ストック数分の遊技数が遊技回数制御手段にストックされる。
【００８７】
（準備状態）
準備状態は、ＡＴを実行するための準備状態であり、図３の特別遊技制御手段340により制御される。
準備状態へ移行した後に、所定の契機、本実施の形態では、「ＢＥＲＰ１〜４」に当選した際に当該「ＢＥＲＰ１〜４」に対応した押し順でストップスイッチ50を操作させるナビを表示させ、当該押し順でストップスイッチ50が操作されることが、２回のゲームで行われた場合に、特別遊技状態へ移行する。
これは、準備状態中に予め定められた役が当選した場合には、予め定められた操作態様でストップスイッチ50を操作させるナビを表示させることが設定されており、予め定められた役の当選時に予め定められた操作態様でストップスイッチ50が操作された場合には、遊技進行制御手段200が、演出制御手段300の遊技状態が特別遊技状態に移行することを認識できるように設定されているためである。
また、２回目のストップスイッチの操作がされた次のゲームのスタートスイッチ操作によりリール演出が発生し、当該リール演出時にＡＴゲーム数が決定される。
【００８８】
（特別遊技状態）
特別遊技状態は、特別遊技としてＡＴが実行される遊技状態であり、図３の特別遊技制御手段により制御される。
また、特別遊技中、上乗せ抽選手段により上乗せゲーム数抽選が行われ、当該上乗せ抽選に当選した場合は、ＡＴの継続がストックされる。なお、かかる上乗せ抽選は、第１遊技の毎ゲーム行われても良いし、所定の役に当選した場合に行われるようにしても良い。
準備状態中に決定されたＡＴのゲーム数を消化した後、特殊遊技中に抽選されたＡＴの継続ストックがある場合及び特別遊技中のＡＴの継続ストックがある場合は、再度ストック数分のＡＴが実行される。
一方、ＡＴの継続ストックがない場合は、特別遊技終了準備状態へ移行する。
【００８９】
（特別遊技終了準備状態）
特別遊技終了準備状態は、特別遊技であるＡＴへの引き戻し抽選を行う遊技状態である。押し順ベル役（３枚ベル役・８枚ベル役）の当選を所定回数こぼすまで継続し、所定の役に当選した場合に引き戻し抽選を行い、引き戻し抽選に所定回数当選した場合に特別遊技状態へ戻り、所定の役に所定回数当選する前にベル役の当選を所定回数こぼした場合は、通常遊技へ戻る。
【００９０】
（メインフロー）
図２０に示すフローチャートに基づいて、遊技進行制御手段200が１回の遊技毎に実行する遊技制御処理について説明する。
先ず、ステップ１１０において、賭け数設定処理が行われる。この賭け数設定処理では、賭け数として規定の賭け数が設定されたか否かが判定されるものである。具体的には、遊技進行制御手段200により、当該遊技の賭け数として設定されているメダルの枚数が規定の賭け数に達しているか否かの判定が行われる。本実施の形態では、規定の賭け数は、２枚又は３枚である。このため、所定数の賭け数が設定された場合に、次のステップ１１１に進む。所定数の賭け数が設定されていない場合には当該ステップにとどまることになる。
ステップ１１１において、遊技進行制御手段200により、スタートスイッチ40の操作があったか否かの判定が行われる。ここで、スタートスイッチ40の操作があったと判定されると、遊技進行制御手段200により、賭け数の設定が不可能な状態とされる。その後、次のステップ１１２に進む。一方、スタートスイッチ40の操作がないと判定されると、再度ステップ１１１となる。
【００９１】
ステップ１１２において、役抽選手段210により、役抽選処理が行われる。また、このとき、役抽選の結果が遊技進行制御手段200から演出制御手段300へ送信される。役抽選処理が終了すると、次のステップ１１３に進む。
ステップ１１３において、リールユニット60におけるリール62の回転変動処理が行われる。リール62が所定の回転速度に達した後、遊技進行制御手段200により、回転中のリール62に対応するストップスイッチ50の操作があった場合に、リール制御手段220により、各リール62の回転が停止させられる。このときのストップスイッチ50（左ストップスイッチL、中ストップスイッチC、右ストップスイッチR）の当選役に対応する停止操作順番は、遊技進行制御手段200に形成された所定の記憶領域に記憶されると共に、その後の処理にて読み出される。ここで、第３番目のストップスイッチ50の停止操作が行われると、遊技進行制御手段200から演出制御手段300へ全リール62の回転停止情報が送信される。そして、全てのリール62の回転変動処理が終了すると、次のステップ１１４に進む。
【００９２】
ステップ１１４において、遊技結果判定手段230により、有効ライン86上の図柄の組合せに対して所定の役の図柄の組合せが有効ライン86上に揃っているか否かの入賞等の判定処理が行われる。ここで、入賞等の判定処理の判定結果のデータは、遊技進行制御手段200から演出制御手段300へ送信される。そして、判定処理が終わると、次のステップ１１５に進む。
ステップ１１５において、ホッパー制御手段280により、遊技結果判定手段230の判定結果に対応した払出処理等が行われる。なお、判定結果、払出が不要な場合には、払出処理は行われない。そして、当該処理が終了する。
【００９３】
図２１に示すフローチャートに基づいて、特殊遊技抽選処理について説明する。
先ず、ステップ２１０において、特殊遊技制御手段270により、役抽選手段210の抽選結果が、予め定められた役、本実施の形態では、３ＢＥ１に当選したか否かが判断され、当選したと判断された場合は、次のステップ２１１に進む。一方、当選したと判断されない場合は、処理を終了する。
ステップ２１１において、特殊遊技制御手段270により、特殊遊技への移行抽選が行われる。そして、次のステップ２１２に進む。
ステップ２１２において、演出制御手段300に特殊遊技への移行抽選の抽選結果に関する情報が送信され、処理を終了する。
なお、当該移行抽選の抽選結果に関する情報は、図２２のステップ３２４において、演出制御手段300により処理される。
【００９４】
図２２に示すフローチャートに基づいて、前兆モードの処理について説明する。
先ず、ステップ３１０で、遊技進行制御手段200により抽選された所定遊技数及びフェイク所定遊技数の抽選結果を受信する。そして、次のステップ３１１に進む。
ステップ３１１において、ステップ３１０で受信した所定遊技数及びフェイク所定遊技数に達したか否かが判断され、達したと判断された場合は、次のステップ３１２に進む。一方、達したと判断されない場合は、再度ステップ３１１となる。
ステップ３１２において、前兆の種別抽選（前兆モードの抽選）及び前兆ゲーム数抽選が行われる。そして、次のステップ３１３に進む。
ステップ３１３において、演出コース抽選が行われる。演出コース抽選は、図１６に示すように、ステップ３１２において決定された前兆の種別に応じて行われる。そして、次のステップ３１４に進む。
【００９５】
ステップ３１４において、役抽選手段210の抽選結果を受信したか否かが判断され、受信したと判断された場合は、次のステップ３１５に進む。一方、受信したと判断されない場合は、再度ステップ３１４となる。
ステップ３１５において、「ＢＥＲＰ（１）〜（４）」に当選したか否かが判断され、当選したと判断された場合は、次のステップ３１６に進む。一方、当選したと判断されない場合は、次のステップ３１７に進む。
ステップ３１６において、前兆状態に応じた「ＢＥＲＰ（１）〜（４）」に含まれる「ＢＥＲＰ１〜４」の操作手順報知抽選が実行される（図１１参照）。すなわち、図１８に示すように、前兆モードの種類の種類が前兆モード１、２、３のうちのいずれか、演出コースのいずれの演出ブロックに滞在しているかにより、操作手順報知手段312により操作手順を報知するか否かの抽選が行われる。そして、次のステップ３２２に進む。
【００９６】
また、上述したステップ３１５からステップ３１７に進んだ場合は、当該ステップ３１７において、「３ＢＥ（１）〜（８）」に当選したか否かが判断され、当選したと判断された場合は、次のステップ３１８に進む。一方、当選したと判断されない場合は、次のステップ３２０に進む。
ステップ３１８において、図２１のステップ２１２において送信された特殊遊技制御手段270の移行抽選結果情報受信処理が行われる。この情報には、特殊遊技状態への移行抽選に当選したか否かの情報が含まれる。そして、次のステップ３１９に進む。
ステップ３１９において、前兆状態に応じた「３ＢＥ（１）〜（８）」に含まれる「３ＢＥ１〜３」の操作手順報知抽選が実行される（図１０参照）。すなわち、図１８に示すように、前兆モードの種類の種類が前兆モード１、２、３のうちのいずれか、演出コースのいずれの演出ブロックに滞在しているかにより、操作手順報知手段312により操作手順を報知するか否かの抽選が行われる。そして、次のステップ３２２に進む。
【００９７】
また、上述したステップ３１７からステップ３２０に進んだ場合は、当該ステップ３２０において、「８ＢＥ（１）〜（８）」に当選したか否かが判断され、当選したと判断された場合は、次のステップ３２１に進む。一方、当選したと判断されない場合は、次のステップ３２２に進む。
ステップ３２１において、前兆状態に応じた「８ＢＥ（１）〜（８）」に含まれる「８ＢＥ」の操作手順報知抽選が実行される（図９参照）。すなわち、図１８に示すように、前兆モードの種類の種類が前兆モード１、２、３のうちのいずれか、演出コースのいずれの演出ブロックに滞在しているかにより、操作手順報知手段312により操作手順を報知するか否かの抽選が行われる。そして、次のステップ３２２に進む。
【００９８】
ステップ３２２において、ステップ３１６、ステップ３１９、ステップ３２１における操作手順報知手段312による操作手順抽選に当選したか否かが判断され、当選したと判断された場合は、次のステップ３２３に進む。一方、当選したと判断されない場合は、次のステップ３２４に進む。
ステップ３２３において、操作手順報知手段312により操作手順の報知が行われる。そして、次のステップ３２４に進む。
ステップ３２４において、特殊遊技制御手段270による特殊遊技状態への移行抽選に当選しているか否かが判断され、当選していると判断されない場合は、次のステップ３２５に進む。一方、当選していると判断された場合は、次のステップ３２８に進む。
ステップ３２５において、上述したステップ３１２において決定された前兆ゲーム数に達したか否か、すなわち、前兆ゲーム数の遊技カウンターが０になったか否かが判断され、０になったと判断された場合は、次のステップ３２６に進む。一方、０になったと判断されない場合は、ステップ３１４に戻る。
【００９９】
ステップ３２６において、上述したステップ３１２において決定された前兆モードが前兆モード２であるか否かが判断され、前兆モード２であると判断されない場合は、処理を終了する。一方、前兆モード２であると判断された場合は、次のステップ３２７に進む。
ステップ３２７において、前兆モード２の終了後の演出が実行される。すなわち、ＡＴ抽選が行われ、処理を終了する。
また、上述したステップ３２４からステップ３２８に進んだ場合は、当該ステップ３２８において、遊技者のストップスイッチ50の操作手順が、ステップ３２３において報知された操作手順と一致するか否かが判断され、一致すると判断された場合は、次のステップ３２９に進む。一方、一致すると判断されない場合は、ステップ３２５に進む。
ステップ３２９において、特殊遊技状態の演出が開始される。そして、処理を終了する。
【０１００】
図２３に示すフローチャートに基づいて、特別遊技の有利度合として、獲得した遊技媒体数を用いた移行条件決定処理について説明する。
先ず、ステップ４１０で、通常遊技へ移行したか否か、すなわち、特別遊技終了準備状態において、押し順ベル役（３枚ベル役・８枚ベル役）の当選を所定回数こぼしたか否かが判断され、通常遊技へ移行したと判断されない場合はステップ４１０を繰り返し、通常遊技へ移行したと判断された場合は、次のステップ４１１に進む。
次のステップ４１１では、獲得枚数計数手段によりＡＴ中の獲得枚数を取得する。そして、次のステップ４１２に進む。
次のステップ４１２では、移行条件決定手段321によりモード抽選を行う。そして、処理を終了する。
なお、前述のとおり、ＡＴ中の獲得枚数ではなく、払出役のナビ回数、又はリプレイのナビ回数、又はＡＴ中の獲得枚数、払出役のナビ回数、リプレイのナビ回数の２つ以上の組み合わせに基づいてモード抽選を行ってもよい。
【符号の説明】
【０１０１】
10  遊技機                              12  筐体
14  前扉                                16  図柄表示窓部
20  上パネル                            22  下パネル
24  ホッパーユニット                    26  メダル受け皿
28  メダル払出口                        30  操作部
34  マックスベットスイッチ              36  精算スイッチ
38  メダル投入口                        40  スタートスイッチ
50  ストップスイッチ                    L 左ストップスイッチ
C 中ストップスイッチ                    R 右ストップスイッチ
60  リールユニット                      62  リール
63  リールテープ                        64  左リール
66  中リール                            68  右リール
70  演出装置                            72  スピーカー
74  上部スピーカー                      76  下部スピーカー
78  ランプ                              80  上部ランプ
82  下部ランプ                          84  表示手段
86  有効ライン
100 遊技制御手段                        200 遊技進行制御手段
210 役抽選手段                          220 リール制御手段
230 遊技結果判定手段                    240 通常状態制御手段
250 特定遊技制御手段                    260 ボーナス遊技制御手段
270 特殊遊技制御手段                    280 ホッパー制御手段
290 フリーズ制御手段
300 演出制御手段                        310 通常遊技制御手段
311 演出決定手段                        312 操作手順報知手段
320 遊技形態制御手段                    321 移行条件決定手段
322 有利度合計数手段                    330 特殊遊技演出制御手段
340 特別遊技制御手段
650 図柄
【図１】
2016010539.tif 000003
【図２】
2016010539.tif 000004
【図３】
2016010539.tif 000005
【図４】
2016010539.tif 000006
【図５】
2016010539.tif 000007
【図６】
2016010539.tif 000008
【図７】
2016010539.tif 000009
【図８】
2016010539.tif 000010
【図９】
2016010539.tif 000011
【図１０】
2016010539.tif 000012
【図１１】
2016010539.tif 000013
【図１２】
2016010539.tif 000014
【図１３】
2016010539.tif 000015
【図１４】
2016010539.tif 000016
【図１５】
2016010539.tif 000017
【図１６】
2016010539.tif 000018
【図１７】
2016010539.tif 000019
【図１８】
2016010539.tif 000020
【図１９】
2016010539.tif 000021
【図２０】
2016010539.tif 000022
【図２１】
2016010539.tif 000023
【図２２】
2016010539.tif 000024
【図２３】
2016010539.tif 000025